(57)【要約】【課題】搬送物がその搬送中にバケットからこぼれ落ちないようにする。【解決手段】スプロケットＳに駆動されて同時回転する左右一対の同じ長さの環状エンドレスチェーン１，２を、それぞれ左右一対のエンドレスチェーンガイド３，４で案内して、両チェーン１，２の間に装着した複数のバケットＶを、前後方向の垂直面上において、一定方向に上向きの姿勢で移動させ、各バケットＶに投入口５から投入した粉体、流体、粒体等の搬送物６を排出口７から排出する構造のバケットコンベヤ。【選択図】　　　　図１
2004067333.tif 000002
【特許請求の範囲】
【請求項１】
左右一対の同じ長さの環状エンドレスチェーンを、左右一対のエンドレスチェーンガイドで案内して、両チェーンの間に取り付けた複数のバケットを、前後方向の垂直面上において、上昇移動、下降移動、水平移動及び回転移動させるバケットコンベヤであって、前記バケットは、その左側前（後）部が第１回転軸で左環状エンドレスチェーンに、その右側後（前）部が第２回転軸で右環状エンドレスチェーンに、それぞれ取り付けられて前後へ相対回転可能になっており、前記左右一対のエンドレスチェーンガイドは、バケットを上向きの姿勢で移動させる行程においては、そのときに第１回転軸と第２回転軸が描く軌跡にそって配置したことを特徴とするバケットコンベヤ。
【発明の詳細な説明】
【０００１】
【発明の属する技術分野】
本発明はバケットコンベヤに関するものである。
【０００２】
【従来の技術】
従来からある水平搬送と垂直搬送を組み合わせたバケットコンベヤは、バケットが駆動チェーンに固定されている。このため、バケットは、駆動チェーンの移動方向にそって傾斜又は回転する構造、すなわち、駆動チェーンの移動方向によって、その姿勢が決まる構造となっている。
【０００３】
【発明が解決しようとする課題】
従来のバケットコンベヤは、このような構造となっているので、例えば、粉体やペレット等の搬送物を入れて上昇していたバケットが水平移動に入ると、９０度傾き、その中の搬送物がケーシング内にこぼれ落ちる。
【０００４】
このため、従来のバケットコンベヤには、次のような問題がある。
【０００５】
（１）搬送物をバケットからこぼれ落ちないように搬送することができない。
【０００６】
（２）搬送物がその搬送中にバケットからこぼれ落ちるので、その分、搬送効率が悪い。
【０００７】
本発明は、このような従来の問題点を解決することを目的とする。
【０００８】
【課題を解決するための手段】
上記目的を達成するために、本発明が提供するバケットコンベヤは、左右一対の同じ長さの環状エンドレスチェーンを、左右一対のエンドレスチェーンガイドで案内して、両チェーンの間に取り付けた複数のバケットを、前後方向の垂直面上において、上昇移動、下降移動、水平移動及び回転移動させるバケットコンベヤであって、前記バケットは、その左側前（後）部が第１回転軸で左環状エンドレスチェーンに、その右側後（前）部が第２回転軸で右環状エンドレスチェーンに、それぞれ取り付けられて前後へ相対回転可能になっており、前記左右一対のエンドレスチェーンガイドは、バケットを上向きの姿勢で移動させる行程においては、そのときに第１回転軸と第２回転軸が描く軌跡にそって配置したことを特徴とするものである。
【０００９】
【発明の実施の形態】
以下、本発明の実施の形態を実施例によって図面を参照しながら説明する。
【００１０】
【実施例１】
図１は実施例１のバケットコンベヤを、その右側から見たときの側面図、図２は図１のＸ−Ｘ断面を後方から見たときの拡大図、図３は図１のＹ−Ｙ断面を上方から見たときの拡大図である。
【００１１】
実施例１のバケットコンベヤＣ１は、図１〜図３に示すように、スプロケットＳに駆動されて同時回転する左右一対の同じ長さの環状エンドレスチェーン１，２を、それぞれ左右一対のエンドレスチェーンガイド３，４で案内して、両チェーン１，２の間に装着した複数のバケットＶを、前後方向の垂直面上において、一定方向に上向きの姿勢で移動させ、各バケットＶに投入口５から投入した粉体、流体、粒体等の搬送物６を排出口７から排出する構造となっている。
【００１２】
なお、スプロケットＳはケーシング８に装着され、エンドレスチェーンガイド３，４はケーシング８の壁面に設けられている。
【００１３】
バケットＶは、第１回転軸９と第２回転軸１０を介して環状エンドレスチェーン１，２に取り付けられている。
【００１４】
すなわち、バケットＶは、図２及び図３に示すように、その左側後部が第１回転軸９で左環状エンドレスチェーン１に取り付けられ、その右側前部が第２回転軸１０で右環状エンドレスチェーン２に、それぞれ取り付けられ、前後へ相対回転可能になっている。第１，第２回転軸９，１０は、間隔Ｌだけ前後にズレた位置に設けられている。
【００１５】
第１，第２回転軸９，１０は、間隔Ｌだけ前後にズレているので、バケットＶの移動時の姿勢を上向きにするか、下向きにするか、横向きにするか、斜めにするかによって、バケットＶの両回転軸９，１０が描く軌跡は異なる。
【００１６】
本実施例のエンドレスチェーンガイド３，４は、搬送物６の投入から排出までの行程においては、バケットＶの姿勢を上向きに設定したときにその回転軸９，１０が描く軌跡にそって配置されている。
【００１７】
すなわち、本実施例では、バケットＶは上向きの姿勢で矢印Ａ方向に前進し、投入口５から搬送物６を受けると、９０度上方へ方向転換してそのままの姿勢で矢印Ｂ方向に上昇し、そのままの姿勢で９０度前方へ方向転換して矢印Ｃ方向に前進する。
【００１８】
したがって、エンドレスチェーンガイド３，４は、バケットＶの矢印Ａ，Ｃ方向への前進移動の行程では、水平面上に平行に配置され、バケットＶの矢印Ｂ方向への上昇移動の行程では、前後方向の垂直面上において、第１，第２回転軸９，１０の間隔Ｌ相当だけ前後にズラして配置されている。
【００１９】
終端の反転部Ｈ２においては、バケットＶは上向き姿勢から横向き姿勢へ、さらに下向き姿勢へと１８０度反転し、その途中で搬送物６を排出口７から外部へ排出する。
【００２０】
反転部Ｈ２において反転して搬送物６を排出したバケットＶは、下向きの姿勢で矢印Ｄ方向に後進し、９０度下方へ方向転換して横向きの姿勢で矢印Ｅ方向へ下降し、さらに９０度後方へ方向転換して下向きの姿勢で矢印Ｆ方向へ後進する。
【００２１】
そして、始端の反転部Ｈ１においては、バケットＶは下向きの姿勢から横向きの姿勢へ、さらに上向きの姿勢へと１８０度反転し、投入口５での搬送物６の受入れ姿勢に戻る。
【００２２】
したがって、エンドレスチェーンガイド３，４は、バケットＶが終端の反転部Ｈ２から始端の反転部Ｈ１に戻るまでの行程においては、その第１、第２回転軸９，１０の描く軌跡にそうように、前後にズラすことなく平行に配置されている。
【００２３】
上述のように、実施例１のバケットコンベヤＣ１によれば、搬送物６の投入から排出までの行程において、バケットＶを常に上向きの姿勢に保持できるようにしたので、搬送物６をバケットＶからこぼれ落ちないように搬送することができる。
【００２４】
なお、エンドレスチェーン１，２をガイドするスプロケットＳは、同チェーン１，２の反転部Ｈ１，Ｈ２と方向転換部に配設されている。１１は反転部Ｈ２のスプロケットＳを駆動する駆動源である。
【００２５】
【実施例２】
図４は実施例２のバケットコンベヤＣ２を示す。このコンベヤＣ２は、実施例１のそれＣ１との比較で言えば、バケットＶの姿勢を、全移動行程において、上向きにした点に特徴がある。
【００２６】
したがって、エンドレスチェーンガイド３，４は、バケットＶの姿勢を全移動行程において上向きに設定したときに、その回転軸９，１０が描く軌跡の上に配置されている。
【００２７】
実施例２のバケットコンベヤＣ２は、このような構成となっているので、搬送物の搬送をバケットＶからこぼれ落ちないように、行うことができる。
【００２８】
そして、バケットＶへの搬送物６の投入は、任意の位置において、その上方から行うことができ、搬送物６の排出は、バケットＶの底部又は側部に設けた排出口の開閉によって行うことができる。
【００２９】
【発明の効果】
以上説明したように、本発明のバケットコンベヤによれば、少なくとも搬送物の投入から排出までの搬送行程においては、バケットを常に上向きに保持できる構成としたので、次の効果を奏する。
【００３０】
（１）搬送物をバケットからこぼれ落ちないように搬送することができる。
【００３１】
（２）搬送物がその搬送中にバケットからこぼれ落ちないので、こぼれ落ちによる搬送物の搬送中における減損を防止することができる。
【図面の簡単な説明】
【図１】実施例１のバケットコンベヤの側面図
【図２】図１のＸ−Ｘ断面図
【図３】図１のＹ−Ｙ断面図
【図４】実施例２のバケットコンベヤの側面図
【符号の説明】
Ｃ１，Ｃ２　バケットコンベヤ
Ｖ　バケット
１　左環状エンドレスチェーン
２　右環状エンドレスチェーン
３　左エンドレスチェーンガイド
４　右エンドレスチェーンガイド
５　投入口
６　搬送物
７　排出口
Ｓ　スプロケット
８　ケーシング
９　第１回転軸
１０　第２回転軸
Ｌ　間隔
Ｈ１，Ｈ２　反転部
１１　駆動源
【図１】
2004067333.tif 000003
【図２】
2004067333.tif 000004
【図３】
2004067333.tif 000005
【図４】
2004067333.tif 000006